(57)【要約】【課題】  個々の物品単位の形態を含む暖衣としての多様性をより高め、また、コスト低減を図るとともに、バリエーションを適宜増やせるようにして、暖衣としての発展性及び柔軟対応性を高める。【解決手段】  少なくともマフラーＭａ…と帽子Ｃａ…を兼用可能な多目的暖衣であって、弾性素材を含む繊維素材Ｒｓにより全体を、又は一部を除いて、伸縮可能に構成するとともに、両端に開口部２ｐ，２ｑを設けた筒状の暖衣本体２と、この暖衣本体２に対して着脱可能に構成し、かつ装着時に暖衣本体２における一方又は双方の開口部２ｐ，２ｑを閉塞可能な閉塞機能Ｆ１、及び暖衣本体２を装飾する装飾機能Ｆ２を有するとともに、選択して使用可能な一又は二以上の暖衣構成補助具３ａ，３ｂとを備える。【選択図】  図１
2014118652.tif 000002
【特許請求の範囲】
【請求項１】
少なくともマフラーと帽子を兼用可能な多目的暖衣であって、弾性素材を含む繊維素材により全体を、又は一部を除いて、伸縮可能に構成するとともに、両端に開口部を設けた筒状の暖衣本体と、この暖衣本体に対して着脱可能に構成し、かつ装着時に前記暖衣本体における一方又は双方の開口部を閉塞可能な閉塞機能、及び前記暖衣本体を装飾する装飾機能を有するとともに、選択して使用可能な一又は二以上の暖衣構成補助具とを具備してなることを特徴とする多目的暖衣。
【請求項２】
前記暖衣本体は、両端の一方又は双方の開口部に、周方向に沿った本体装飾部を設けてなることを特徴とする請求項１記載の多目的暖衣。
【請求項３】
前記暖衣本体は、外力を付加しない自然状態であって、偏平状態にした筒軸方向の長さＬｓを３５〜４５〔ｃｍ〕の範囲、幅方向の長さＬｗを１４〜２２〔ｃｍ〕の範囲に選定するとともに、筒軸方向に引張った際における最大の伸び率を１８０〜２１０〔％〕の範囲に選定してなることを特徴とする請求項１又は２記載の多目的暖衣。
【請求項４】
前記暖衣構成補助具は、全体を装飾部（第一装飾部）として構成するとともに、弾性素材を含む繊維素材により全体を、又は一部を除いて、伸縮可能なリング状に構成することを特徴とする請求項１，２又は３記載の多目的暖衣。
【請求項５】
前記暖衣構成補助具は、全体を装飾部（第二装飾部）として構成するとともに、前記第二装飾部の裏側に弾性リングを取付けて構成することを特徴とする請求項１，２又は３記載の多目的暖衣。
【請求項６】
前記暖衣構成補助具に加えて、少なくとも一以上の装飾補助具を備えることを特徴とする請求項１〜５のいずれかに記載の多目的暖衣。
【請求項７】
前記装飾補助具は、装飾部の裏側に安全ピン等の止ピンを取付けて構成することを特徴とする請求項６記載の多目的暖衣。
【発明の詳細な説明】
【技術分野】
【０００１】
本発明は、少なくともマフラーと帽子の双方に兼用可能な暖衣に用いて好適な多目的暖衣に関する。
【背景技術】
【０００２】
従来、マフラーと帽子の双方に兼用可能に構成した暖衣は知られており、特許文献１にはマフラー兼帽子が開示され、また、特許文献２には、帽子兼用マフラーが開示されている。
【０００３】
前者のマフラー兼帽子は、頭部から首を一つの用具で保温・保護し、頭部に被らない場合は襟状を成し且つ首の保温用になる用具の提供を目的としたものであり、具体的には、柔軟性及び伸縮性を有する衣服及び帽子の材料を円筒状に成型し、マフラー兼帽子を制作することにより、形状も小さく持ち運びも簡単、冬期の防寒保温、夏期の職場でのクーラー対策に手軽に使用出来るようにするとともに、耐紫外線効果のある薄手のポリエステルニットや、絹製ニット等薄手でも保温力があり紫外線除け機能がある素材で形成することで、室内では保温力の高いオシャレなドレープ状の襟の形状「タートルネック状」を成し、室外では遮光や紫外線除けの袋状帽子（フード）として簡便に使用出来るように構成したものである。
【０００４】
また、後者の帽子兼用マフラーは、帽子として着用することができるだけでなく、首に巻いて着用することもでき、マフラーとしてのお酒落を楽しむことも可能な帽子兼用マフラーを提供することを目的としたものであり、具体的には、帽子兼用マフラーを、両端部を閉塞した筒状体によって形成し、筒状体の長手方向に沿った長さを、４０〜１００ｃｍに設定するとともに、筒状体における閉塞端部を、好ましくは略半球状に形成し、筒状体の両端部に、結び紐を取り付けることにより、帽子兼用マフラーをマフラーとして使用する際に結び紐同士を互いに結び、筒状体の両端部を留めることができるように構成したものである。
【先行技術文献】
【特許文献】
【０００５】
【特許文献１】特開２００７−３１４９２１号公報
【特許文献２】特開２００９−１９１４０９号公報
【発明の概要】
【発明が解決しようとする課題】
【０００６】
しかし、上述した従来の暖衣（マフラー兼帽子，帽子兼用マフラー）は、次のような問題点があった。
【０００７】
第一に、基本的には、二種類の兼用に留まり、三種類以上に兼用することは想定されていない。したがって、多様性の観点からは必ずしも十分であるとは言えず、更なる改善の余地があった。加えて、個々の物品の形態に着目した場合、一部の装飾に変化を加えることができるとしても、物品単位の基本的な形態は一形態程度に留まり、この観点からの多様性も不十分である。
【０００８】
第二に、物品自体はいわば半完成品又は完成品として製作されるため、変更できる部分は僅かとなる。したがって、時代の流行等を考慮した装飾等の柔軟な対応が困難となり、暖衣としての発展性及び柔軟対応性に欠ける。しかも、半完成品又は完成品として製作される故に、製作コストの上昇も無視できず、低コスト性にも劣る。
【０００９】
本発明は、このような背景技術に存在する課題を解決した多目的暖衣の提供を目的とするものである。
【課題を解決するための手段】
【００１０】
本発明に係る多目的暖衣１は、上述した課題を解決するため、少なくともマフラーＭａ…と帽子Ｃａ…を兼用可能な多目的暖衣であって、弾性素材を含む繊維素材Ｒｓにより全体を、又は一部を除いて、伸縮可能に構成するとともに、両端に開口部２ｐ，２ｑを設けた筒状の暖衣本体２と、この暖衣本体２に対して着脱可能に構成し、かつ装着時に暖衣本体２における一方又は双方の開口部２ｐ，２ｑを閉塞可能な閉塞機能Ｆ１、及び暖衣本体２を装飾する装飾機能Ｆ２を有するとともに、選択して使用可能な一又は二以上の暖衣構成補助具３ａ，３ｂとを具備してなることを特徴とする。
【００１１】
この場合、発明の好適な態様により、暖衣本体２における両端の一方又は双方の開口部２ｐ，２ｑには、周方向に沿った本体装飾部１１ｐ，１１ｑを設けることができるとともに、この暖衣本体２は、外力を付加しない自然状態であって、偏平状態にした筒軸方向Ｄｓの長さＬｓを３５〜４５〔ｃｍ〕の範囲、幅方向Ｄｗの長さＬｗを１４〜２２〔ｃｍ〕の範囲に選定するとともに、筒軸方向Ｄｓに引張った際における最大の伸び率を１８０〜２１０〔％〕の範囲に選定することが望ましい。一方、暖衣構成補助具３ａは、全体を装飾部（第一装飾部）Ｐａとして構成するとともに、弾性素材を含む繊維素材Ｒｓにより全体を、又は一部を除いて、伸縮可能なリング状に構成することができる。また、他の暖衣構成補助具３ｂは、全体を装飾部（第二装飾部）Ｐｂとして構成するとともに、第二装飾部Ｐｂの裏側に弾性リング３ｂｒを取付けて構成することができる。さらに、暖衣構成補助具３ａ，３ｂに加えて、少なくとも一以上の装飾補助具３ｘを設けることができ、この装飾補助具３ｘは、装飾部Ｐｘの裏側に安全ピン等の止ピン３ｘｃを取付けて構成することができる。
【発明の効果】
【００１２】
このような構成を有する本発明に係る多目的暖衣１によれば、次のような顕著な効果を奏する。
【００１３】
（１）  基本構成要素として、弾性素材を含む繊維素材Ｒｓにより全体を、又は一部を除いて、伸縮可能に構成するとともに、両端に開口部２ｐ，２ｑを設けた筒状の暖衣本体２を備えるため、少なくともマフラーＭａ…と帽子Ｃａ…に兼用できることに加え、ネックウォーマー等としても用いることができる。したがって、従来のものに比べ、暖衣としての多様性をより高めることができる。しかも、選択して使用可能な一又は二以上の暖衣構成補助具３ａ，３ｂと組合わせて使用するため、例えば、帽子Ｃａ…の場合、帽子の縁部分の形態を、開口部２ｐ，２ｑを利用する形態又は折畳んだ中間部位を利用する形態のいずれかを選択できるなど、個々の物品単位でも形態の種類を増やすことが可能となり、この観点からの多様性も高めることができる。
【００１４】
（２）  暖衣本体２に対して着脱可能に構成し、かつ装着時に暖衣本体２における一方又は双方の開口部２ｐ，２ｑを閉塞可能な閉塞機能Ｆ１、及び暖衣本体２を装飾する装飾機能Ｆ２を有するとともに、選択して使用可能な一又は二以上の暖衣構成補助具３ａ，３ｂを備えるため、暖衣構成補助具３ａ，３ｂにおける各種バリエーションを適宜増やすことにより、例えば、時代の流行等を考慮した装飾等に対しても柔軟に対応可能になるなど、暖衣としての発展性及び柔軟対応性を高めることができる。しかも、暖衣本体２自身の構成をより単純化できるため、製作コストに係わるコスト低減にも寄与できる。
【００１５】
（３）  好適な態様により、暖衣本体２における両端の一方又は双方の開口部２ｐ，２ｑに、周方向に沿った本体装飾部部１１ｐ，１１ｑを設ければ、この本体装飾部１１ｐ，１１ｑのデザイン性等を暖衣構成補助具３ａ，３ｂと関連付けることにより、より効果的な装飾を行うことができる。
【００１６】
（４）  好適な態様により、暖衣本体２を構成するに際し、外力を付加しない自然状態であって、偏平状態にした筒軸方向Ｄｓの長さＬｓを３５〜４５〔ｃｍ〕の範囲、幅方向Ｄｗの長さＬｗを１４〜２２〔ｃｍ〕の範囲に選定するとともに、筒軸方向Ｄｓに引張った際における最大の伸び率を１８０〜２１０〔％〕の範囲に選定すれば、本発明に係る多目的暖衣１を実施するに際して最も良好なパフォーマンスを発揮させることができる。
【００１７】
（５）  好適な態様により、暖衣構成補助具３ａを構成するに際し、全体を第一装飾部Ｐａとして構成するとともに、弾性素材を含む繊維素材Ｒｓにより全体を、又は一部を除いて、伸縮可能なリング状に構成すれば、暖衣構成補助具３ａ自体に、閉塞機能Ｆ１と装飾機能Ｆ２の双方の機能を同時に発揮させることができる。
【００１８】
（６）  好適な態様により、暖衣構成補助具３ｂを構成するに際し、全体を第二装飾部Ｐｂとして構成するとともに、第二装飾部Ｐｂの裏側に弾性リング３ｂｒを取付けて構成すれば、弾性リング３ｂｒに閉塞機能Ｆ１を持たせ、第二装飾部Ｐｂに装飾機能Ｆ２を持たせることができるため、個々の機能を個別に発揮させることができる。
【００１９】
（７）  好適な態様により、暖衣構成補助具３ａ，３ｂに加えて、少なくとも一以上の装飾補助具３ｘを設ければ、暖衣構成補助具３ａ（又は３ｂ）と装飾補助具３ｘの双方を組合わせた相乗的な装飾効果を得ることができる。
【図面の簡単な説明】
【００２０】
【図１】本発明の好適実施形態に係る多目的暖衣の全体斜視図、
【図２】同多目的暖衣における暖衣本体の作用説明図、
【図３】同多目的暖衣の軸方向から見た断面を含む作用説明図、
【図４】同多目的暖衣をマフラーとして用いる際の使用説明図、
【図５】同多目的暖衣を他の形態に係るマフラーとして用いる際の使用説明図、
【図６】同多目的暖衣をネックウォーマーとして用いる際の使用説明図、
【図７】同多目的暖衣を帽子として用いる際の使用説明図、
【図８】同多目的暖衣を他の形態に係る帽子として用いる際の使用説明図、
【図９】同多目的暖衣を他の形態に係る帽子として用いる際の使用説明図、
【発明を実施するための形態】
【００２１】
次に、本発明に係る好適実施形態を挙げ、図面に基づき詳細に説明する。
【００２２】
まず、本実施形態に係る多目的暖衣１の構成について、図１〜図３を参照して具体的に説明する。
【００２３】
例示の多目的暖衣１は、図１に示すように、大別して、暖衣本体２，二つの暖衣構成補助具３ａ，３ｂ及び一つの装飾補助具３ｘを備える。
【００２４】
この場合、暖衣本体２は、ゴム等の弾性素材を含む繊維素材Ｒｓにより全体を、又は一部を除いて、伸縮可能に構成（編成）するとともに、両端に開口部２ｐ，２ｑを設けた筒状に構成する。なお、繊維素材Ｒｓは、天然繊維であるか化学繊維であるかは問わない。この開口部２ｐ，２ｑには、それぞれ周方向に沿った本体装飾部１１ｐ，１１ｑを設ける。例示の本体装飾部１１ｐ，１１ｑは、ギャザー部２１ｐ，２１ｑにより構成した。したがって、開口部２ｐ，２ｑは、周方向全周に沿って波を打つ形状に形成する。この際、ギャザー部２１ｐ，２１ｑの先端縁には、盛り上がり形状の縁取部２１ｐｓ，２１ｑｓを周方向全周に沿ってライン状に形成することが望ましい。この場合、ギャザー部２１ｐ，２１ｑを設けた部位は必ずしも弾性素材を用いることを要しない。なお、本体装飾部１１ｐ，１１ｑは、後述する暖衣構成補助具３ａ，３ｂに対して、デザイン性、即ち、色彩，形状，大きさ等を関連付けて構成することが望ましい。
【００２５】
また、暖衣本体２は、図３に実線断面で示すように、外力を付加しない自然状態であって、偏平状態にした場合、図２に示す筒軸方向Ｄｓの長さＬｓを３５〜４５〔ｃｍ〕の範囲（例示は約４０〔ｃｍ〕）、幅方向Ｄｗの長さＬｗを１４〜２２〔ｃｍ〕の範囲（例示は約１８〔ｃｍ〕）に選定するとともに、筒軸方向Ｄｓに引張った際における最大の伸び率（図２中、（Ｌｓｍ／Ｌｓ）×１００）は、１８０〜２１０〔％〕の範囲に選定することが望ましい。図２中、仮想線２ｍは筒軸方向Ｄｓに引張った状態の暖衣本体２を示すとともに、仮想線２ｅは筒軸方向Ｄｓに縮めた状態の暖衣本体２を示している。さらに、図３における仮想線２ｕは筒状に広げた状態の暖衣本体２を示す。
【００２６】
一方、暖衣構成補助具３ａ，３ｂは、いずれも、上述した暖衣本体２に対して着脱可能に構成し、かつ装着時に暖衣本体２における一方又は双方の開口部２ｐ，２ｑを閉塞可能な閉塞機能Ｆ１、及び暖衣本体２を装飾する装飾機能Ｆ２を備えている。したがって、各暖衣構成補助具３ａ，３ｂは、それぞれ独立して構成するとともに、各暖衣構成補助具３ａ，３ｂは、それぞれ選択して使用することができる。なお、この場合の選択は、一つを意味するものではなく、複数選択することも可能である。即ち、暖衣本体２に対して同時に装着する暖衣構成補助具３ａ，３ｂは一つのみではなく、二つ以上を同時に装着しても可能である。
【００２７】
例示の場合、第一の暖衣構成補助具３ａは、図１に示すように、全体を装飾部（第一装飾部）Ｐａとして構成するとともに、ゴム等の弾性素材を含む繊維素材Ｒｓにより全体を、又は一部を除いて、伸縮可能なリング状に構成した。この場合、前述したように、第一の暖衣構成補助具３ａは、本体装飾部１１ｐ、１１ｑに対して、デザイン性（色彩，形状，大きさ等）を関連付けて構成する。したがって、例示する第一装飾部Ｐａは、前述した本体装飾部１１ｐ（１１ｑ）をより密にした装飾本体部１２を、弾性バンド部１３の周り（全周）に沿って配する構成とした。これにより、例示の第一装飾部Ｐａは、花に似せた疑似花Ａａとして構成される。
【００２８】
また、第二の暖衣構成補助具３ｂは、図１に示すように、全体を装飾部（第二装飾部）Ｐｂとして構成するとともに、第二装飾部Ｐｂの裏側に弾性リング３ｂｒを取付けて構成した。この暖衣構成補助具３ｂも、前述したように、本体装飾部１１ｐ，１１ｑに対して、デザイン性（色彩，形状，大きさ等）を関連付けて構成する。したがって、例示する第二装飾部Ｐｂは、前述した本体装飾部１１ｐ（１１ｑ）をより密にし、いわば半球状に纏めた構成を有するとともに、弾性リング３ｂｒは、この第二装飾部Ｐｂにおける裏側の中心位置から突出させた。これにより、例示の第二装飾部Ｐｂは、花に似せた疑似花Ａｂとして構成される。
【００２９】
他方、装飾補助具３ｘは、図１に示すように、全体を装飾部（第三装飾部）Ｐｘとして構成するとともに、第三装飾部Ｐｘの裏側に止ピン３ｘｃを取付けて構成した。例示する第三装飾部Ｐｘは、第二装飾部Ｐｂに対して形態は略同じとなる。しかし、大きさは異ならせることが望ましく、例示の第三装飾部Ｐｘは、第二装飾部Ｐｂに対して稍小さく構成した。したがって、第三装飾部Ｐｘも、花に似せた疑似花Ａｘとして構成される。また、例示の止ピン３ｘｃには安全ピン２２を用いた。
【００３０】
次に、本実施形態に係る多目的暖衣１の具体的な使用方法について、図４〜図９を参照して説明する。なお、図４及び図５はマフラーＭａ，Ｍｂとして用いる場合、図６はネックウォーマーＷとして用いる場合、図７〜図９は帽子Ｃａ，Ｃｂ，Ｃｃとして用いる場合をそれぞれ示す。
【００３１】
最初に、マフラーＭａ，Ｍｂとして用いる場合について説明する。図４（ａ），（ｂ）は第一の形態に係るマフラーＭａとする場合の使用手順、図５（ａ），（ｂ）は第二の形態に係るマフラーＭｂとする場合の使用手順をそれぞれ示す。
【００３２】
まず、第一の形態に係るマフラーＭａとして用いる場合は、図４（ａ）に示すように、最初に、暖衣本体２を、使用者の首Ｈｎに対して後側から掛け、両端側を首Ｈｎの前側に位置させる。そして、図４（ｂ）に示すように、暖衣本体２の開口部２ｐ，２ｑの近傍に第一の暖衣構成補助具３ａを巻き付けて止めれば良い。この場合、いわば輪ゴムを用いて束ねる要領で止めればよい。これにより、第一の形態に係るマフラーＭａの使用形態となり、前側に位置する暖衣本体２の先端位置（下端位置）に、本体装飾部１１ｐ，１１ｑと疑似花Ａａを組合わせ疑似花Ａ１を有するデザインとなる。
【００３３】
また、第二の形態に係るマフラーＭｂとして用いる場合は、図５（ａ）に示すように、最初に、マフラーＭａの場合と同様に、暖衣本体２を、使用者の首Ｈｎに後側から掛け、両端側を首Ｈｎの前側に位置させる。そして、図５（ｂ）に示すように、前側の左右に位置する暖衣本体２の中間部位同士を、第二の暖衣構成補助具３ｂにおける弾性リング３ｂｒを巻き付けることにより止め、第二装飾部Ｐｂを正面に位置させれば良い。この場合、暖衣本体２における開口部２ｐ，２ｑ側の一部２ｍｐ，２ｍｑは、第二装飾部Ｐｂから下方にリボン状に突出（露出）するため、疑似花Ａｂとこのリボン状の部分が組合わさったデザインとなる。このように、第二の形態に係るマフラーＭｂのデザインは、第一の形態に係るマフラーＭａのデザインとは大きく異なるため、使用者は、好みや雰囲気等に応じて、趣が異なる二形態（二種類）のマフラーＭａ，Ｍｂを使い分けることができる。
【００３４】
次に、ネックウォーマーＷとして用いる場合について説明する。図６（ａ），（ｂ）はネックウォーマーＷとする場合の使用手順を示す。
【００３５】
ネックウォーマーＷとして用いる場合は、両端に開口部２ｐ，２ｑを有する筒状の暖衣本体２のみを用意すれば足りる。使用する際には、まず、図６（ａ）に示すように、暖衣本体２を筒軸方向Ｄｓに縮めるとともに、径方向に引張ることにより径を広げる。そして、頭部Ｈｈに対して上から被せ、さらに、使用者の首Ｈｎまで移動させれば、図６（ｂ）に示すように、暖衣本体２をネックウォーマーＷとして用いることができる。この場合のネックウォーマーＷは、いわば基本形態となる。したがって、例えば、装飾補助具３ｘを首Ｈｎに装着した暖衣本体２の横面に取付けるなどすれば、より装飾性を高めたネックウォーマーＷとすることができる。この場合、ネックウォーマーＷの上端と下端には、それぞれ本体装飾部１１ｐと１１ｑ（ギャザー部２１ｐと２１ｑ）が配されるため、装着フィーリングは良好となる。
【００３６】
次に、帽子Ｃａ，Ｃｂ，Ｃｃとして用いる場合について説明する。図７（ａ），（ｂ）は第一の形態に係る帽子Ｃａとする場合の使用手順、図８（ａ），（ｂ）は第二の形態に係る帽子Ｃｂとする場合の使用手順、図９（ａ），（ｂ）は第三の形態に係る帽子Ｃｃとする場合の使用手順をそれぞれ示す。
【００３７】
第一の形態に係る帽子Ｃａとして用いる場合は、まず、図７（ａ）に示すように、暖衣本体２を中央位置Ｓｃ又はその付近で捻る。この場合、使用者は、一方の手を一方の開口部２ｐ（又は２ｑ）から暖衣本体２の内部に入れ、中央位置Ｓｃ又はその付近を内部から把持するとともに、この状態において、他方の開口部２ｑ（又は２ｐ）側を捻ればよい。そして、捻った他方の開口部２ｑ（又は２ｐ）側は、図７（ｂ）に示すように、裏返すことにより一方の開口部２ｐ（又は２ｑ）側に重ね合わせればよい。これにより、図７（ｃ）に示す基本形態の帽子Ｃａを得ることができるため、図７（ｄ）に示すように，装飾補助具３ｘを帽子Ｃａの横面に取付ければ、第一の形態に係る帽子Ｃａを得ることができる。したがって、第一の形態に係る帽子Ｃａは、帽子の縁部分に本体装飾部１１ｐ，１１ｑが配されるとともに、アクセントとして疑似花Ａｘが付されたデザインとなる。
【００３８】
また、第二の形態に係る帽子Ｃｂとして用いる場合は、まず、図８（ａ）に示すように、使用者は、一方の手を一方の開口部２ｐ（又は２ｑ）から暖衣本体２の内部に入れ、中央位置Ｓｃ又はその付近を内部から把持するとともに、この状態において、図８（ｂ）に示すように、他方の開口部２ｑ（又は２ｐ）側を裏返して一方の開口部２ｐ（又は２ｑ）側に重ねる。そして、図８（ｃ）に示すように、開口部２ｐ及び２ｑ付近に第一の暖衣構成補助具３ａ巻付けることにより、開口部２ｐ及び２ｑ付近を閉塞状態にすればよい。これにより、図８（ｃ）に示す第二の形態に係る帽子Ｃｂを得ることができる。この帽子Ｃｂは、帽子の縁部分に暖衣本体２の中間部位を折返した形状が位置するため、スッキリとしたデザインになるとともに、帽子の上端に、本体装飾部１１ｐ，１１ｑと疑似花Ａａを組合わせた比較的ボリューム感のある疑似花Ａ２を有するデザインとなる。
【００３９】
さらに、第三の形態に係る帽子Ｃｃとして用いる場合は、まず、図９（ａ）に示すように、暖衣本体２の一端側から所定幅にわたって数回（例示は２回）裏返して折畳む。即ち、図９（ａ）に示すように、位置Ｓｆ，位置Ｓｓを折り位置として、順次裏返して折り畳む。そして、図９（ｂ）に示すように、他端側の近傍に第二の暖衣構成補助具３ｂの弾性リング３ｂｒを巻付けることにより閉塞状態にすればよい。これにより、図９（ｃ）に示す第三の形態に係る帽子Ｃｃを得ることができる。この帽子Ｃｃは、帽子の縁部分は複数の層が重なり合った形態（デザイン）となる。また、比較的長い帽子となるとともに、帽子の上端には、本体装飾部１１ｐ（又は１１ｑ）と疑似花Ａｂを組合わせ疑似花Ａ３を有するデザインとなり、いわば、サンタクロースの帽子となる。
【００４０】
このように、本実施形態に係る多目的暖衣１は、基本構成要素として、弾性素材を含む繊維素材Ｒｓにより全体を、又は一部を除いて、伸縮可能に構成するとともに、両端に開口部２ｐ，２ｑを設けた筒状の暖衣本体２を備えるため、少なくともマフラーＭａ…と帽子Ｃａ…に兼用できることに加え、ネックウォーマー等としても用いることができる。したがって、従来のものに比べ、暖衣としての多様性をより高めることができる。しかも、選択して使用可能な一又は二以上の暖衣構成補助具３ａ，３ｂと組合わせて使用するため、例えば、帽子Ｃａ…の場合、帽子の縁部分の形態を、開口部２ｐ，２ｑを利用する形態又は折畳んだ中間部位を利用する形態のいずれかを選択できるなど、個々の物品単位でも形態の種類を増やすことが可能となり、この観点からの多様性も高めることができる。また、暖衣本体２に対して着脱可能に構成し、かつ装着時に暖衣本体２における一方又は双方の開口部２ｐ，２ｑを閉塞可能な閉塞機能Ｆ１、及び暖衣本体２を装飾する装飾機能Ｆ２を有するとともに、選択して使用可能な一又は二以上の暖衣構成補助具３ａ，３ｂを備えるため、暖衣構成補助具３ａ，３ｂにおける各種バリエーションを適宜増やすことにより、例えば、時代の流行等を考慮した装飾等に対しても柔軟に対応可能になるなど、発展性及び柔軟対応性を高めることができる。しかも、暖衣本体２自身の構成をより単純化できるため、製作コストに係わるコスト低減にも寄与できる。
【００４１】
以上、好適実施形態について詳細に説明したが、本発明は、このような実施形態に限定されるものではなく、細部の構成，形状，素材，数量，数値，使用方法等において、本発明の要旨を逸脱しない範囲で、任意に変更，追加，削除することができる。
【００４２】
例えば、実施形態では、暖衣本体２の両端における開口部２ｐ，２ｑの双方に本体装飾部１１ｐ，１１ｑを設けた場合を示したがいずれか一方のみに設けてもよい。また、暖衣本体２のディメンションは、筒軸方向Ｄｓの長さＬｓを３５〜４５〔ｃｍ〕の範囲，幅方向Ｄｗの長さＬｗを１４〜２２〔ｃｍ〕の範囲，筒軸方向Ｄｓに引張った際における最大の伸び率を１８０〜２１０〔％〕の範囲にそれぞれ選定することが望ましいが、これらの範囲に限定されるものではない。一方、暖衣構成補助具３ａ，３ｂは、例示に限定されるものではなく、閉塞機能Ｆ１及び装飾機能Ｆ２を有するものであれば、各種形態により実施できるとともに、用意する数量も任意である。同様に、装飾補助具３ｘも、例示に限定されるものではなく、各種形態の装飾部Ｐｘ及び止ピン３ｘｃにより実施できるとともに、用意する数量も任意である。また、装飾として疑似花を例示したが装飾性を有するものであれば様々な形態を適用できる。
【産業上の利用可能性】
【００４３】
本発明に係る多目的暖衣は、少なくともマフラーと帽子の双方に兼用可能な各種形態の暖衣に利用できる。
【符号の説明】
【００４４】
１：多目的暖衣，２：暖衣本体，２ｐ：暖衣本体の開口部，２ｑ：暖衣本体の開口部，３ａ：暖衣構成補助具，３ｂ：暖衣構成補助具，３ｂｒ：弾性リング，３ｘ：装飾補助具，３ｘｃ：止ピン，１１ｐ：本体装飾部，１１ｑ：本体装飾部，Ｐａ：装飾部（第一装飾部），Ｐｂ：装飾部（第二装飾部），Ｐｘ：装飾部，Ｍａ…：マフラー，Ｃａ…：帽子，Ｒｓ：弾性素材を含む繊維素材，Ｆ１：閉塞機能，Ｆ２：装飾機能，Ｄｓ：筒軸方向，Ｄｗ：幅方向，Ｌｓ：筒軸方向長さ，Ｌｗ：幅方向長さ
【図１】
2014118652.tif 000003
【図２】
2014118652.tif 000004
【図３】
2014118652.tif 000005
【図４】
2014118652.tif 000006
【図５】
2014118652.tif 000007
【図６】
2014118652.tif 000008
【図７】
2014118652.tif 000009
【図８】
2014118652.tif 000010
【図９】
2014118652.tif 000011